(57)【要約】【課題】  ヘルメット側取付手段の位置が異なる種々のヘルメットに対してもシールドを最適な位置に配置させることを可能にするヘルメット用シールドコンバータを提供する。【解決手段】  ヘルメット用シールドコンバータ１０の、ヘルメットに取り付けられる内側の支持部材１２と、シールドが取り付けられる外側の支持部材１１とが、各々の両端において回転軸１３を中心として互いに回転可能に連結されている。内側の支持部材１２は、ヘルメットに設けられたヘルメット側取付手段としてのホック（不図示）に取り付けられる、コンバータ側取付手段としてのホック１５ａ，１５ｂ，１５ｃを備えている。内側の支持部材１２は、内側の支持部材１２の高さ方向における中央ホック１５ｂの位置を調節することを可能にする調節手段としての複数の取付穴（不図示）を有している。【選択図】  図１
0003103277.tif 000002
【実用新案登録請求の範囲】
【請求項１】
各々の両端において回転軸を中心として互いに回転可能に連結された、ヘルメットに取り付けられる内側の支持部材と、シールドが取り付けられる外側の支持部材とを有し、前記ヘルメットとそれに取り付けられる前記シールドとの間に介在して、前記ヘルメットに対して前記シールドを自在に開閉させることを可能にするヘルメット用シールドコンバータにおいて、
前記内側の支持部材は、前記ヘルメットに設けられたヘルメット側取付手段に取り付けられるコンバータ側取付手段と、前記内側の支持部材の高さ方向における前記コンバータ側取付手段の位置を調節することを可能にする調節手段とを有していることを特徴とする、ヘルメット用シールドコンバータ。
【請求項２】
前記内側の支持部材は、前記内側の支持部材の一方の端部から他方の端部にかけて並べられた少なくとも３つの前記コンバータ側取付手段を備えており、
前記調節手段は、前記少なくとも３つの前記コンバータ側取付手段のうちの、前記内側の支持部材の両方の端部の各々に最も近い２つの前記コンバータ側取付手段以外の前記コンバータ側取付手段が備えられる位置に設けられている、請求項１に記載のヘルメット用シールドコンバータ。
【請求項３】
各々の両端において回転軸を中心として互いに回転可能に連結された、ヘルメットに取り付けられる内側の支持部材と、シールドが取り付けられる外側の支持部材とを有し、前記ヘルメットとそれに取り付けられる前記シールドとの間に介在して、前記ヘルメットに対して前記シールドを自在に開閉させることを可能にするヘルメット用シールドコンバータにおいて、
前記外側の支持部材は、前記シールドに設けられたシールド側取付手段が取り付けられるコンバータ側取付手段と、前記外側の支持部材の高さ方向における前記コンバータ側取付手段の位置を調節することを可能にする調節手段とを有していることを特徴とする、ヘルメット用シールドコンバータ。
【請求項４】
前記内側の支持部材と前記外側の支持部材との連結部分には、前記内側の支持部材と前記外側の支持部材との互いの位置を保持するための位置保持手段が設けられている、請求項１から３のいずれか１項に記載のヘルメット用シールドコンバータ。
【請求項５】
前記内側の支持部材の前記ヘルメットに対向する面の少なくとも一部には緩衝手段が設けられている、請求項１から４のいずれか１項に記載のヘルメット用シールドコンバータ。
【考案の詳細な説明】
【技術分野】
【０００１】
本考案は、ヘルメットとそれに取り付けられるシールドとの間に介在し、ヘルメットに対してシールドを自在に開閉させることを可能にするヘルメット用シールドコンバータに関するものである。
【背景技術】
【０００２】
図６は、従来のヘルメット用シールドコンバータを示す斜視図である。
【０００３】
従来のシールドコンバータ１００は、それぞれ半円状の外側の支持部材１０１と内側の支持部材１０２とを有しており、それらの２つの支持部材１０１，１０２は、各々の両端において回転軸１０３を中心として互いに回転可能に連結されている。このシールドコンバータ１００は、図６に示すように２つの支持部材１０１，１０２が開いた位置と、２つの支持部材１０１，１０２が互いに重なり合うように閉じた位置との間の範囲内で動くことができるように構成されている。
【０００４】
外側の支持部材１０１には３つのホック１０４ａ，１０４ｂ，１０４ｃが取り付けられている。それらのホック１０４ａ，１０４ｂ，１０４ｃは、それぞれ着脱面が外側に向けられている。外側の支持部材１０１の各ホックが取り付けられる位置には取付穴が形成されている。それらの取付穴のうち、３つのホックの中央のホック１０４ｂが取り付けられる穴は丸穴（不図示）であり、その左右両側のホック１０４ａ，１０４ｃが取り付けられる穴は支持部材１０１の周方向に延びた長穴１０１ａである。そのため、中央のホック１０４ｂは図示の位置に固定されるのに対し、その左右両側のホック１０４ａ，１０４ｃは長穴１０１ａの長さの範囲内で長穴１０１ａに沿って移動可能になっている。
【０００５】
内側の支持部材１０２に関しても同様に、内側の支持部材１０２にはコンバータ側取付手段としての３つのホック１０５ａ，１０５ｂ，１０５ｃが取り付けられている。それらのホック１０５ａ，１０５ｂ，１０５ｃは、それぞれ着脱面が内側に向けられている。内側の支持部材１０２の各ホックが取り付けられる位置には取付穴が形成されており、それらの取付穴のうち、３つのホックの中央のホック１０５ｂが取り付けられる穴は丸穴（不図示）であり、その左右両側のホック１０５ａ，１０５ｃが取り付けられる穴は支持部材１０１の周方向に延びた長穴１０２ａである。そのため、中央のホック１０５ｂは図示の位置に固定されるのに対し、その左右両側のホック１０５ａ，１０５ｃは長穴１０２ａの長さの範囲内で長穴１０２ａに沿って移動可能になっている。
【０００６】
図７は、図６に示したシールドコンバータが適用されるヘルメットを示す斜視図である。
【０００７】
図７に示すヘルメットは帽体が頭部の顔面以外の部分を覆うタイプのものであり、一般には「ジェットヘル」と呼ばれている。この種のヘルメット１１０には、図７に示すように、シールドのホック（不図示）を連結するためのヘルメット側取付手段としてのホック１１１ａ，１１１ｂ，１１１ｃが、ヘルメット１１０の額部分に設けられている。この種のヘルメット１１０は、通常は、図７に示す状態のまま用いられるか、あるいは、ホック１１１ａ，１１１ｂ，１１１ｃにシールドのホックを連結してヘルメット１１０にシールド（不図示）を直接取り付けた状態で用いられる。
【０００８】
図８は、図６に示したシールドコンバータを図７に示したヘルメットに取り付けた状態を示す斜視図である。
【０００９】
図８に示すように、シールドコンバータ１００の外側の支持部材１０１のホック１０４ａ，１０４ｂ，１０４ｃ（図６参照）にシールド１２０のホックが連結されており、これによりシールド１２０が外側の支持部材１０１に取り付けられている。このとき、外側の支持部材１０１の左右両側のホック１０４ａ，１０４ｃは、シールド１２０の左右両側のホックの位置に合わせて支持部材１０１の長穴１０１ａ内で移動して位置決めされている。一方、シールドコンバータ１００の内側の支持部材１０２のホック１０５ａ，１０５ｂ，１０５ｃ（図６参照）はヘルメット１１０のホック１１１ａ，１１１ｂ，１１１ｃ（図７参照）に連結されており、これによりシールドコンバータ１００の内側の支持部材１０２はヘルメット１１０に取り付けられている。このとき、内側の支持部材１０２の左右両側のホック１０５ａ，１０５ｃは、ヘルメット１１０の左右両側のホック１１１ａ，１１１ｃの位置に合わせて支持部材１０２の長穴１０２ａ内で移動して位置決めされている。
【００１０】
シールドコンバータ１００は、このようにしてヘルメット１１０とそれに取り付けられるシールド１２０との間に介在し、図８に示すようにシールド１２０を上げた開位置と、２つの支持部材１０１，１０２が互いに重なり合うように閉じる位置までシールド１２０を下げた閉位置との間で、ヘルメット１１０に対してシールド１２０を自在に開閉させることを可能にする。
【考案の開示】
【考案が解決しようとする課題】
【００１１】
ところで、ヘルメット１１０のとりわけ中央のホック１１１ｂの位置は、ヘルメットのメーカによって異なっており、さらには同じメーカでもヘルメットの型式によって異なっている。中央のホック１１１ｂの位置は、例えば、図７に示した位置よりもヘルメット１１０の額部分の縁にさらに近いものもあれば、その額部分の縁からさらに離れているものもある。
【００１２】
図６に示したシールドコンバータ１００は、中央のホック１１１ｂの位置が多少異なる種々のヘルメットに取り付けることが可能である。しかしながら、中央のホック１１１ｂの位置が額部分の縁に近いヘルメットに対しては内側の支持部材１０２がヘルメットの額部分の縁に近い位置に取り付けられ、中央のホック１１１ｂの位置が額部分の縁から離れているヘルメットに対しては内側の支持部材１０２がヘルメットの額部分の縁から離れた位置に取り付けられることとなる。
【００１３】
内側の支持部材１０２がヘルメットの額部分の縁に近い位置に取り付けられた場合、シールドコンバータ１００を介してヘルメットに取り付けられたシールド１２０を下げたときの位置は本来の位置よりも下がった位置になってしまう。この場合には、ヘルメットの使用時のデザインを損ねるばかりでなく、走行時に風がヘルメット１１０の額部分から吹き込んでユーザに不快な思いをさせてしまうおそれもある。さらに、シールド１２０を上げたときにシールド１２０が十分に開かず、シールド１２０がユーザの視界を妨げてしまうという事態も生じうる。
【００１４】
また、内側の支持部材１０２がヘルメットの額部分の縁から離れた位置に取り付けられた場合には、シールドコンバータ１００を介してヘルメットに取り付けられたシールド１２０を下げたときの位置は本来の位置よりも上がった位置になってしまう。この場合にも、ヘルメットの使用時のデザインを損ねるばかりでなく、走行時に顎や頬の辺りに風を巻き込んでユーザに不快な思いをさせてしまうおそれもある。
【００１５】
そこで本考案は、ヘルメットの額部分の縁からのヘルメット側のホック（ヘルメット側取付手段）の位置が異なる種々のヘルメットに対してもシールドを最適な位置に配置させることを可能にするヘルメット用シールドコンバータを提供することを目的とする。
【課題を解決するための手段】
【００１６】
上記目的を達成するため、本考案のヘルメット用シールドコンバータは、各々の両端において回転軸を中心として互いに回転可能に連結された、ヘルメットに取り付けられる内側の支持部材と、シールドが取り付けられる外側の支持部材とを有し、前記ヘルメットとそれに取り付けられる前記シールドとの間に介在して、前記ヘルメットに対して前記シールドを自在に開閉させることを可能にするヘルメット用シールドコンバータにおいて、前記内側の支持部材は、前記ヘルメットに設けられたヘルメット側取付手段に取り付けられるコンバータ側取付手段と、前記内側の支持部材の高さ方向における前記コンバータ側取付手段の位置を調節することを可能にする調節手段とを有していることを特徴とする。
【００１７】
上記のように構成された本考案のヘルメット用シールドコンバータによれば、ヘルメットの額部分の縁からのヘルメット側取付手段の位置が異なる種々のヘルメットに対してシールドコンバータ取り付ける際に、コンバータ側取付手段を、調節手段によって、内側の支持部材の高さ方向にヘルメット側取付手段の位置に応じて調節することができる。
【００１８】
例えば、ヘルメット側取付手段の位置が額部分の縁に近いヘルメットに対しては、内側の支持部材の高さ方向の下側にコンバータ側取付手段を取り付けた状態で内側の支持部材をヘルメットに装着することにより、内側の支持部材をヘルメットの額部分の縁からいくらか離した位置に取り付けることができる。そのため、シールドコンバータを介してヘルメットに取り付けられたシールドを下げたときの位置を本来の位置に近づけることができるので、ヘルメットの使用時のデザインを損ねることはなく、また、走行時に風がヘルメットの額部分から吹き込むことを抑えることができる。さらにシールドを本来の位置まで十分に開くことが可能になるので、シールドがユーザの視界を妨げてしまうこともなくすことができる。
【００１９】
これに対し、ヘルメット側取付手段の位置が額部分の縁から離れているヘルメットに対しては、内側の支持部材の高さ方向の上側にコンバータ側取付手段を取り付けた状態で内側の支持部材をヘルメットに装着することにより、内側の支持部材をヘルメットの額部分の縁からいくらか近づけた位置に取り付けることができる。この場合にも、シールドコンバータを介してヘルメットに取り付けられたシールドを下げたときの位置を本来の位置に近づけることができるので、ヘルメットの使用時のデザインを損ねることはなく、また、走行時に顎や頬の辺りに風を巻き込むことを抑えることができる。
【００２０】
さらに、前記内側の支持部材は、前記内側の支持部材の一方の端部から他方の端部にかけて並べられた少なくとも３つの前記コンバータ側取付手段を備えており、前記調節手段は、前記少なくとも３つの前記コンバータ側取付手段のうちの、前記内側の支持部材の両方の端部の各々に最も近い２つの前記コンバータ側取付手段以外の前記コンバータ側取付手段が備えられる位置に設けられている構成としてもよい。
【００２１】
また、本考案の他のヘルメット用シールドコンバータは、各々の両端において回転軸を中心として互いに回転可能に連結された、ヘルメットに取り付けられる内側の支持部材と、シールドが取り付けられる外側の支持部材とを有し、前記ヘルメットとそれに取り付けられる前記シールドとの間に介在して、前記ヘルメットに対して前記シールドを自在に開閉させることを可能にするヘルメット用シールドコンバータにおいて、前記外側の支持部材は、前記シールドに設けられたシールド側取付手段が取り付けられるコンバータ側取付手段と、前記外側の支持部材の高さ方向における前記コンバータ側取付手段の位置を調節することを可能にする調節手段とを有していることを特徴とする。この構成によれば、シールドコンバータの外側の支持部材に対するシールドの位置を調節することが可能になる。
【００２２】
また、前記内側の支持部材と前記外側の支持部材との連結部分には、前記内側の支持部材と前記外側の支持部材との互いの位置を保持するための位置保持手段が設けられている構成としてもよい。これにより、内側の支持部材と外側の支持部材とを閉じた位置と開いた位置との間の範囲の任意の位置で、シールドを保持することが可能になる。
【００２３】
さらに、前記内側の支持部材の前記ヘルメットに対向する面の少なくとも一部には緩衝手段が設けられている構成としてもよい。
【考案の効果】
【００２４】
以上説明したように、本考案のヘルメット用シールドコンバータによれば、ヘルメットの額部分の縁からのヘルメット側取付手段の位置が異なる種々のヘルメットに対してもシールドを最適な位置に配置させることができる。
【考案を実施するための最良の形態】
【００２５】
次に、本考案の実施形態について図面を参照して説明する。
【００２６】
図１は本考案の一実施形態に係るヘルメット用シールドコンバータを示す斜視図、図２は図１に示したシールドコンバータを閉じた状態で示す斜視図である。
【００２７】
本実施形態のシールドコンバータ１０も、図６に示した従来のヘルメット用シールドコンバータと同様に、それぞれ半円状の外側の支持部材１１と内側の支持部材１２とを有しており、それらの２つの支持部材１１，１２は、各々の両端において回転軸１３を中心として回転可能に連結されている。本実施形態では、これらの支持部材１１，１２は樹脂材料（例えばポリカーボネート）で構成されている。樹脂材料、特にポリカーボネートは、弾性に富み、かつ高い耐衝撃強度を有しているので、頻繁に開閉されるこのようなシールドコンバータ１０の支持部材１１，１２として最適な材料である。さらに、その色を透明にすることで、どのような色彩のヘルメットおよびシールドに対しても、違和感無く組み合わせることができる。ポリカーボネートは汎用グレードのものでも透明度が高いので、この点においてもシールドコンバータ１０の支持部材１１，１２として最適な材料であると言える。
【００２８】
シールドコンバータ１０は、図１に示すように２つの支持部材１１，１２が開いた位置と、図２に示すように２つの支持部材１１，１２が互いに重なり合うように閉じた位置との間の範囲内で動くことができるように構成されている。さらに、２つの支持部材１１，１２の両端の連結部分における、内側の支持部材１２の外側の面と、外側の支持部材１１の内側の面とには、回転軸１３を中心として放射状に延びた複数の溝からなるラチェット（不図示）が設けられており、外側の支持部材１１と内側の支持部材１２とが図示したように連結された状態では、各々の支持部材１１，１２に設けられたラチェットが互いに噛み合っている。そのため本実施形態のシールドコンバータ１０は、このラチェットにより、図１に示す開位置と図２に示す閉位置との間の範囲の任意の位置で、シールド（不図示）を保持することが可能になっている。このように、本実施形態におけるラチェットは、内側の支持部材１２と外側の支持部材１１との互いの位置を保持するための位置保持手段として機能している。
【００２９】
また、内側の支持部材１２のヘルメットに対向する面の少なくとも一部、特に内側の支持部材１２の両端の外側の支持部材１１との連結部分には、例えば発泡ウレタン等からなる緩衝手段としてのパッド１６が設けられている。これらのパッド１６は、シールドコンバータ１０をヘルメットに取り付けたとき（図８参照）に、シールドコンバータ１０がヘルメットに擦れてヘルメットを傷つけてしまうことを防止する。これらのパッド１６のヘルメットに当接する面には、粘着シールが設けられていることが好ましい。この場合には、シールドコンバータ１０をヘルメットに取り付けたときにシールドコンバータ１０がパッド１６の部分でもヘルメットに対して固定されるので、シールドコンバータ１０がヘルメットにより安定して固定されることから、シールドの開閉をよりスムーズに行うことが可能になる。
【００３０】
なお、外側の支持部材１１の中央のホック１４ｂが取り付けられる丸穴（不図示）、外側の支持部材１１の左右両側のホック１４ａ，１４ｃが取り付けられる長穴１１ａ、および外側の支持部材１１に取り付けられるホック１４ａ，１４ｂ，１４ｃの各構成と、内側の支持部材１２の左右両側のホック１５ａ，１５ｃが取り付けられる長穴１２ａおよび内側の支持部材１２に取り付けられるホック１５ａ，１５ｂ，１５ｃの各構成は、図６に示した従来のシールドコンバータと同様であるので、それらに関する詳しい説明は省略する。
【００３１】
次に、各支持部材１１，１２の断面構造について、主に図３を参照して説明する。
【００３２】
図３（ａ）は、図１に示した外側の支持部材１１のＡ−Ａ線における断面図である。外側の支持部材１１の内壁面の上部には、外側の支持部材１１の内壁面から突出した係止部１１ｂが設けられている。図１に示すように、本実施形態では、外側の支持部材１１の中央に取り付けられたホック１４ｂを間において、その左右両側にそれぞれ２つの係止部１１ｂが設けられている。
【００３３】
図３（ｂ）は、図１に示した内側の支持部材１２のＢ−Ｂ線における断面図である。内側の支持部材１２の外壁面の上部には、外側の支持部材１１に設けられた係止部１１ｂが係止する係止溝１２ｂと、その係止溝１２ｂの直ぐ下に位置するストッパ１２ｃとが設けられている。本実施形態では、これら係止溝１２ｂとストッパ１２ｃは、図１に示すように、内側の支持部材１２の中央に取り付けられたホック１５ｂを間において、その左右両側にそれぞれ１組ずつ設けられている。
【００３４】
図３（ｃ）は、図２に示すように２つの支持部材１１，１２を閉じた状態のシールドコンバータ１０のＣ−Ｃ線における断面図である。２つの支持部材１１，１２を閉じた状態（シールドを下げた状態）では、外側の支持部材１１の係止部１１ｂが内側の支持部材１２の係止溝１２ｂ内に係止している。係止部１１ｂを係止溝１２ｂ内に係止させる際にはユーザはクリック感が得られるので、ユーザはシールドが完全に下がったことを知ることができる。さらに、係止部１１ｂを係止溝１２ｂ内に係止した状態から外してシールドコンバータ１０を開くのにはある程度の力量が必要であるので、シールドが走行中の風圧に負けて不用意に持ち上げられてしまうことを防止することができる。
【００３５】
また、係止部１１ｂを係止溝１２ｂ内に係止させるまで外側の支持部材１１を図示矢印方向に下げていった場合、その勢いがついていたときには、係止部１１ｂは内側の支持部材１２の係止溝１２ｂの直ぐ下に設けられたストッパ１２ｃに当接する。そのため、外側の支持部材１１が図３（ｃ）に示す位置を越えて内側の支持部材１２よりも下方に回転してしまうことはない。
【００３６】
図４は、図１に示した内側の支持部材１２を、中央のホック１５ｂを取り外した状態で図１のＤ方向から見た部分拡大図である。図４に示すように、内側の支持部材１２の、中央のホック１５ｂ（図１等参照）が取り付けられる部分には、内側の支持部材１２の高さ方向（図４の矢印方向）における中央のホック１５ｂの高さを調節することを可能にする調節手段としての２つの取付穴１２ｄ1，１２ｄ2が形成されている。これら２つの取付穴１２ｄ1，１２ｄ2は、内側の支持部材１２の高さ方向に並んでいる。中央のホック１５ｂは、これらの取付穴１２ｄ1，１２ｄ2の一つに選択的に取り付けられる。
【００３７】
ここで図７を再び参照すると、上述したように、ヘルメット１１０のとりわけ中央のホック１１１ｂの位置は、ヘルメットのメーカによって異なっており、さらには同じメーカでもヘルメットの型式によって異なっているので、ヘルメット１１０の中央のホック１１１ｂの位置は、例えば、図７に示した位置よりもヘルメット１１０の額部分の縁にさらに近いものもあれば、その額部分の縁からさらに離れているものもある。
【００３８】
これに対し、本実施形態のシールドコンバータ１０は、中央のホック１１１ｂの位置が額部分の縁に近いヘルメットに対しては、下側の取付穴１２ｄ1に中央のホック１５ｂ（図１参照）を取り付けた状態でヘルメットに装着することにより、内側の支持部材１２をヘルメットの額部分の縁からいくらか離した位置に取り付けることができる。そのため、シールドコンバータ１０を介してヘルメットに取り付けられたシールドを下げたときの位置を本来の位置に近づけることができるので、ヘルメットの使用時のデザインを損ねることはなく、また、走行時に風がヘルメットの額部分から吹き込むことを抑えることができる。さらにシールドを本来の位置まで十分に開くことが可能になるので、シールドがユーザの視界を妨げてしまうこともなくすことができる。
【００３９】
また、本実施形態のシールドコンバータ１０は、中央のホック１１１ｂの位置が額部分の縁から離れているヘルメットに対しては、上側の取付穴１２ｄ2に中央のホック１５ｂ（図１参照）を取り付けた状態でヘルメットに装着することにより、内側の支持部材１２をヘルメットの額部分の縁にいくらか近づけた位置に取り付けることができる。この場合にも、シールドコンバータ１０を介してヘルメットに取り付けられたシールドを下げたときの位置を本来の位置に近づけることができるので、ヘルメットの使用時のデザインを損ねることはなく、また、走行時に顎や頬の辺りに風を巻き込むことを抑えることができる。
【００４０】
図５は、図４等に示した内側の支持部材の一変形例を示す、図４に対応する部分拡大図である。
【００４１】
図５に示す変形例に係る内側の支持部材１２’には、内側の支持部材１２’の高さ方向（図５の矢印方向）に延びている長穴形状の取付穴１２ｄ’が形成されている。この構成によれば、中央のホック１５ｂ（図１参照）を長穴形状の取付穴１２ｄ’内の任意の位置に配置することが可能になるので、ヘルメットの種類毎に異なるヘルメット側の中央ホックの位置に合わせて、ヘルメットの額部分の縁に対する内側の支持部材１２’の位置の調節をより柔軟に行うことができる。長穴形状の取付穴１２ｄ’に対するホック１５ｂの取付力量は、ユーザが指で中央のホック１５ｂを長穴形状の取付穴１２ｄ’内において動かすことが可能であるが、ヘルメットの使用時（特に走行時）にシールドが受ける風の力でホック１５ｂが取付穴１２ｄ’内で動いてしまわない程度の力量であることが好ましい。
【００４２】
なお、本実施形態では、内側の支持部材１２，１２’にその一方の端部から他方の端部にかけて並べられた３つのホック１５ａ，１５ｂ，１５ｃが備えられている場合を例に挙げて説明したが、内側の支持部材１２，１２’に備えられるホックの数はヘルメットにシールド取り付け用に設けられているホックの数に応じて変えることができる。
【００４３】
この場合、特に、内側の支持部材１２，１２’がその一方の端部から他方の端部にかけて並べられた３つ以上のホックを備えている構成では、内側の支持部材１２の高さ方向におけるホックの位置を調節するための調節手段としての取付穴（図４の２つの取付穴１２ｄ1，１２ｄ2や、図５の長穴形状の取付穴１２ｄ’）は、少なくとも、内側の支持部材１２，１２’の両方の端部の各々にそれぞれ最も近い２つのホックを除いた残りのホック（図１等に示す例では、中央のホック１５ｂがそれに該当する）が備えられる位置に設けられていることが好ましい。調節手段が少なくともそれらのホックに対して設けられていれば、ヘルメットの額部分の縁からのヘルメット側取付手段の位置が異なる種々のヘルメットに対してもシールドを最適な位置に配置させることが可能である。
【００４４】
なお、上記では、内側の支持部材１２，１２’の中央のホック１５ｂが取り付けられる位置に調節手段としての取付穴（図４の２つの取付穴１２ｄ1，１２ｄ2や、図５の長穴形状の取付穴１２ｄ’）を設ける構成について説明したが、これらの取付穴とともに、あるいはこれらの取付穴に代えて、そのような調節手段としての取付穴（不図示）を、外側の支持部材１１の中央のホック１４ｂが取り付けられる位置に設けた構成としてもよい。これにより、シールドコンバータ１０の外側の支持部材１１に対するシールドの位置を調節することが可能になる。
【図面の簡単な説明】
【００４５】
【図１】本考案の一実施形態に係るヘルメット用シールドコンバータを示す斜視図である。
【図２】図１に示したシールドコンバータを閉じた状態で示す斜視図である。
【図３】各支持部材の断面構造を示す断面図である。
【図４】図１に示した内側の支持部材を、中央のホックを取り外した状態で図１のＤ方向から見た部分拡大図である。
【図５】図４等に示した内側の支持部材の一変形例を示す、図４に対応する部分拡大図である。
【図６】従来のヘルメット用シールドコンバータを示す斜視図である。
【図７】図６に示したシールドコンバータが適用されるヘルメットを示す斜視図である。
【図８】図６に示したシールドコンバータを図７に示したヘルメットに取り付けた状態を示す斜視図である。
【符号の説明】
【００４６】
１０    シールドコンバータ
１１    外側の支持部材
１１ａ，１２ａ    長穴
１１ｂ    係止部
１２，１２’    内側の支持部材
１３    回転軸
１４ａ，１４ｂ，１４ｃ，１５ａ，１５ｂ，１５ｃ    ホック
１２ｂ    係止溝
１２ｃ    ストッパ
１２ｄ1，１２ｄ2，１２ｄ’    取付穴
【図１】
0003103277.tif 000003
【図２】
0003103277.tif 000004
【図３】
0003103277.tif 000005
【図４】
0003103277.tif 000006
【図５】
0003103277.tif 000007
【図６】
0003103277.tif 000008
【図７】
0003103277.tif 000009
【図８】
0003103277.tif 000010